(57)【特許請求の範囲】
【請求項１】
容器本体の供給口の周囲に設けたガイドフレームと、容器本体に設けたフィルム位置ずれ防止用のリブと、シャッタとを有し、
シャッタは容器本体のガイドフレームに倣うガイド部を有するスライドフレームと、スライドフレームの内部に設けられた弾性部材からなるシール部材とを有し、
シャッタを容器本体のガイドフレームに沿って移動してシール部材で供給口をシールしてから熱収縮フィルムを容器本体のフィルム位置ずれ防止用のリブで位置決めしてシャッタの上と容器本体に巻き回して熱収縮させ、熱収縮フィルムの収縮力でシール部材を圧縮させることを特徴とする容器。
【請求項２】
容器本体のトナー供給口の周囲に設けたガイドフレームと、容器本体に設けたフイルム位置ずれ防止用のリブと、シャッタとを有し、
シャッタは容器本体のガイドフレームに倣うガイド部を有するスライドフレームと、スライドフレームの内部に設けられた弾性部材からなるシール部材とを有し、
シャッタを容器本体のガイドフレームに沿って移動してシール部材でトナー供給口をシールしてから熱収縮フィルムを容器本体のフィルム位置ずれ防止用のリブで位置決めしてシャッタの上と容器本体に巻き回して熱収縮させ、熱収縮フィルムの収縮力でシール部材を圧縮させることを特徴とするトナーを収納する容器。
【請求項３】
上記熱収縮フィルムにはミシン目を有する請求項１又は２に記載の容器。
【発明の詳細な説明】
【０００１】
【発明の属する技術分野】
この発明は電子写真方式の複写機やファクシミリ装置，プリンタ装置に現像剤であるトナー等を供給する容器に関するものである。
【０００２】
【従来の技術】
電子写真方式の複写機等に現像材であるトナーを供給するために、複写機に装着するまではトナー供給口に設けたシャッタを閉にしてトナーが外部に飛散することを防止し、複写機に装着したときにトナー供給口に設けたシャッタを開してトナーを供給するシャッタ機構を有するトナー容器が使用されている。このシャッタ機構を有するトナー容器を交換する場合は、複写機に装着してあるトナー容器をユーザが回転したりして手動によりシャッタを閉にして、トナー容器を複写機から取外し、新しいトナー容器を複写機に装着して手動によりシャッタを開にしている。このユーザの操作性向上のためにシャッタのウレタンポロン等の弾性部材からなるシール部の変形量すなわち押付け力を小さくしている。このようにシャッタのシール部の押付け力を小さくししていると、輸送時のシール性が無くユーザに届くまでにトナー洩れが発生する可能性があった。また、複写機にトナー容器を装着してシャッタを開にした状態でトナーを供給しているときに、シャッタと円筒状のトナー容器本体との間から複写機内にトナーが飛散して複写機内をトナーで汚染する可能性があった。
【０００３】
この複写機内にトナーが飛散することを防止するため、例えば特開平８−１６０７３０号公報に示されたトナー容器は、円筒状のトナー容器本体の中心とシャッタの円弧状の外周の中心とを偏心させ、シャッタを開にしたときのトナー容器本体に対する押付け力を大きくしている。また、特開平８−１１９３５０号公報に示されたトナー容器はシャッタの摺動する面に可撓性フィルムを設け、シャッタの開閉力を低減するとともに密封性を高めるようにしている。
【０００４】
【発明が解決しようとする課題】
しかしながら特開平８−１６０７３０号公報に示すように、円筒状のトナー容器本体の中心とシャッタの円弧状の外周の中心とを偏心させても、シャッタを閉にしたときにトナー容器本体に対するシャッタの押付け力は大きくならず、トナー容器を運搬中やトナー容器を複写機に着脱するときにトナー容器内のトナが飛散する可能性がある。
【０００５】
また、特開平８−１１９３５０号公報に示すように、シャッタの摺動する面に可撓性フイルムを設けた場合は、部品点数が多くなりコストが高くなってしまう。また、シャッタの代わりヒートシール等を使用して運搬中のトナーの飛散を防止するものもあるが、複写機に装着するためにヒートシールを剥がすときに大きな力が必要になり操作性が悪いとともにトナーが飛散してしまう。
【０００６】
この発明はかかる不具合を解消し、輸送時のトナー洩れを防止するとともに複写機等に装着するときの操作性を向上させることができる容器を提供することを目的とするものである。
【０００７】
【課題を解決するための手段】
この発明の容器は、容器本体の供給口の周囲に設けたガイドフレームと、容器本体に設けたフィルム位置ずれ防止用のリブと、シャッタとを有し、シャッタは容器本体のガイドフレームに倣うガイド部を有するスライドフレームと、スライドフレームの内部に設けられた弾性部材からなるシール部材とを有し、シャッタを容器本体のガイドフレームに沿って移動してシール部材で供給口をシールしてから熱収縮フィルムを容器本体のフィルム位置ずれ防止用のリブで位置決めしてシャッタの上と容器本体に巻き回して熱収縮させ、熱収縮フィルムの収縮力でシール部材を圧縮させることを特徴とする。この容器をトナー収納用に使用し、供給口を確実にシールして、容器を保存中や運搬中に内部のトナーが外部に飛散することを防ぐ。
【０００８】
このシール部材を圧縮させる熱収縮フィルムにはミシン目を設けておくと良い。
【０００９】
【発明の実施の形態】
この発明のトナー容器はトナー供給口部と、トナー供給口部を封止するシャッタを有する。トナー供給口部にはトナー供給口に沿って設けられ、一方の端部がトナー供給口より外側に一定長さだけ伸びたガイドフレームを有する。ガイドフレームの左右上端部には鍔を有する。シャッタはスライドフレームとシール部材を有する。スライドフレームは下端部が開口した箱形に形成され、下端部の左右にガイドフレームの鍔に倣うガイド部を有する。シール部材はスライドフレームの内部に設けられた直方体の弾性部材からなる。
【００１０】
このトナー容器のトナー供給口からトナーを充填したのち、シャッタをトナー供給口部のガイドフレームに沿って移動し、スライドフレーム内に設けられたシール部材でトナー供給口をシールする。シャッタでトナー供給口をシールした後、シャッタの上に熱収縮フイルムを巻き回して収縮させ、熱収縮フイルムの収縮力によりシャッタのスライドフレームをトナー供給口側に押し下げ、シール部材を圧縮して大きな押付け力によりトナー供給口をシールする。
【００１１】
【実施例】
図１はこの発明の一実施例を示す斜視図である。図に示すように、トナー容器１にはトナーをトナー容器１内に充填したり、トナー容器１内のトナーを電子写真方式の複写機等に供給するトナー供給口部２と、保存中や運搬中にトナー供給口部２を封止するシャッタ３とを有する。トナー供給口部２にはトナー供給口４に沿って設けられ、一方の端部がトナー供給口４より外側に一定長さだけ伸びたガイドフレーム５を有する。ガイドフレーム５の左右上端部には鍔６を有する。シャッタ３はスライドフレーム７とシール部材８を有する。スライドフレーム７は下端部が開口した箱形に形成され、下端部の左右にガイドフレーム５の鍔６に倣うガイド部９を有する。シール部材８はスライドフレーム７の内部に設けられた直方体の弾性部材からなる。
【００１２】
このトナー容器１のトナー供給口４からトナーを充填したのち、シャッタ３のスライドフレーム７でトナー供給口部２のガイドフレーム５の鍔６を挟み込み、シャッタ３を鍔６に沿って移動し、スライドフレーム７内に設けられたシール部材８でトナー供給口４をシールする。このシャッタ３を移動してトナー供給口４をシールするとき、図２の断面図に示すように、シャッタ３のスライドフレーム７の左右下端部に設けられたガイド部９とシール部材８の左右端部でガイドフレーム５の鍔６を挟み込み移動する。このときシール部材８の左右端部が圧縮され、この圧縮により生じた押付け力をガイドフレーム５の鍔６に加える。このシール部材８の左右端部の圧縮量はシール部材８の厚さ等に応じて定まり、シール部材８の厚さとスライドフレーム７の高さ及びガイドフレーム５の鍔６の厚さを適当に選択することにより、シャッタ３をガイドフレーム５の鍔６に沿って簡単に移動することができる。シャッタ３でトナー供給口４をシールした後、図３の斜視図に示すように、シャッタ３の上と容器本体にポリスチン系やポリエステル系あるいはポリ塩化ビニール系の熱収縮フイルム１０を巻き回して収縮させる。この熱収縮フイルム１０は一部にミシン目１１を有し、使用するときに容易に取り外せるようになっている。熱収縮フイルム１０を収縮すると、図４の断面図に示すように、熱収縮フイルム１０の収縮力によりシャッタ３のスライドフレーム７がトナー供給口４側に押し下げられ、シール部材８が圧縮されてガイドフレーム５の鍔６に大きな押付け力を加える。
【００１３】
例えば厚さが６０μｍで幅が５０ｍｍ、長さが５３０ｍｍの熱収縮フイルム１０を長さが５２５ｍｍまで収縮したときの収縮力をプッシュプルゲージ（ＩＭＡＤ；DIGITAL FORCE GAUGE）で測定した結果、約１．９kgfから２．０kgfの収縮力があった。この熱収縮フイルム１０の収縮力により、シール部材８が大きく圧縮され、ガイドフレーム５の鍔６に加える大きな押付け力によりトナー供給口４を確実にシールする。したがってトナー容器１を保存中や運搬中に内部のトナーが外部に飛散することを確実に防止することができる。
【００１４】
この熱収縮フイルム１０を巻き回したトナー容器１を複写機等の取り付けて使用するときは、熱収縮フイルム１０をミシン目１１から切離して取り外す。収縮フイルム１０を取り外すとシャッタ３のシール部材８の弾性力により、図２に示すように、スライドフレーム７を押し上げ、シール部材８がガイドフレーム５の鍔６に加えている押付け力を小さくする。したがってシャッタ３を容易に開にすることができる。
【００１５】
このようにシャッタ３の上に巻き回した熱収縮フイルム１０は収縮すると、その収縮力によりトナー容器１に固定されるが、図５に示すように、トナー容器１に位置ズレ防止用リブ１２を設けておくことにより、熱収縮フイルム１０の位置ずれを確実に防止することができる。
【００１６】
【発明の効果】
この発明は以上説明したように、シャッタを容器本体の供給口の周囲に設けたガイドフレームに沿って移動してシール部材で供給口をシールしてからシャッタの上と容器本体に熱収縮フィルムを巻き回して熱収縮させ、熱収縮フィルムの収縮力でシール部材を大きく圧縮させるから、シール部材がガイドフレームに加える押付け力を大きくすることができ、供給口を確実にシールして、容器を保存中や運搬中に内部のトナー等が外部に飛散することを確実に防止することができる。
【００１７】
また、収縮フィルムを巻き回した容器を複写機等に取り付けて使用するとき、収縮フィルムを取り外すことにより、シャッタのシール部材の弾性力によりスライドフレームを押し上げ、シール部材がガイドフレームに加えている押付け力を小さくするから、シャッタを容易に開にすることができる。
【００１８】
さらに、熱収縮フィルムにミシン目を設けることにより、シャッタと容器本体に巻き回した熱収縮フィルムを簡単に取り外すことができる。
【００１９】
また、容器本体にはフィルム位置ずれ防止用のリブを設けることにより、熱収縮フイルムの位置ずれを確実に防止することができる。
【００２０】
さらに、容器本体とシャッタを容易に分離できで分別が容易であるから、容器本体やシャッタのリサイクルを簡単に行うことができる。
【図面の簡単な説明】
【図１】この発明の実施例を示す斜視図である。
【図２】トナー供給口にシャッタを移動した状態を示す断面図である。
【図３】熱収縮フイルムを巻き回した状態を示す斜視図である。
【図４】熱収縮フイルムを収縮した状態を示す断面図である。
【図５】フィルム位置ずれ防止用リブを示す斜視図である。
【符号の説明】
１；トナー容器、２；トナー供給口部、３；シャッタ、４；トナー供給口、
５；ガイドフレーム、６；鍔、７；スライドフレーム、８；シール部材
９；ガイド部、１０；熱収縮フイルム。
【図１】
0003883742.tif 000002
【図２】
0003883742.tif 000003
【図３】
0003883742.tif 000004
【図４】
0003883742.tif 000005
【図５】
0003883742.tif 000006